(57)【要約】      （修正有）【課題】洗浄剤，消臭剤及び抗菌剤ならびに洗浄，消臭または抗菌方法に関し，特に環境や人体に影響の少ない洗浄剤，消臭剤および抗菌剤ならびに洗浄，消臭または抗菌方法を提供する。【解決手段】強固な汚れを取る印刷用インクと、それを溶解するパラフィン系炭化水素を主成分とする液体による、強固な汚れあるいはひどい悪臭に対して効果的な作用を与える洗浄剤，消臭剤及び抗菌剤。さらに、液体自体が持つ臭いを抑えるため。エッセンシャルオイル及び脂肪酸エステルを含有することが好ましい洗浄剤、消臭剤及び抗菌剤。【選択図】なし【特許請求の範囲】
【請求項１】
主成分として印刷用インクおよびパラフィン系炭化水素を含む洗浄剤。
【請求項２】
添加成分としてエッセンシャルオイルおよび脂肪酸エステルを含む洗浄剤。
【請求項３】
主成分として印刷用インクおよびパラフィン系炭化水素を含む消臭剤。
【請求項４】
添加成分としてエッセンシャルオイルおよび脂肪酸エステルを含む消臭剤。
【請求項５】
主成分として印刷用インクおよびパラフィン系炭化水素を含む抗菌剤。
【請求項６】
添加成分としてエッセンシャルオイルおよび脂肪酸エステルを含む抗菌剤。
【請求項７】
［請求項１］および［請求項２］において記載した洗浄剤を用いた洗浄方法。
【請求項８】
［請求項３］および［請求項４］において記載した消臭剤を用いた消臭方法。
【請求項９】
［請求項５］および［請求項６］において記載した抗菌剤を用いた抗菌方法。
【発明の詳細な説明】
【発明の詳細な説明】
【技術分野】
【０００１】  本発明は，洗浄剤，消臭剤および抗菌剤ならびに洗浄，消臭または抗菌方法に関し，特に環境や人体への影響が小さい洗浄剤、消臭剤および抗菌剤ならびに洗浄、消臭または抗菌方法に関する。
【背景技術】
【０００２】  生活用品などに用いられる従来の洗浄剤，消臭剤および抗菌剤に関しては，様々な化学成分を用いた洗浄剤，消臭剤および抗菌剤が一般的に用いられてきた。【０００３】  しかしながら、これらの洗浄剤，消臭剤および抗菌剤については，強固な汚れあるいは臭いについては効果的でないものが多い。【０００４】  さらに，これらの洗浄剤，消臭剤および抗菌剤については，効果が持続しないため，繰り返し使用する必要がある。このために，環境や人体に悪い影響を及ぼす場合がある。【０００５】  特に，昨今のひとり暮らしの高齢者の世帯では，洗浄することもままならず，生活の質が低下する懸念がある。
【先行技術文献】
【特許文献】
【０００６】
【特許文献１】  特開２００２−３０８７１２号
【発明の概要】
【発明が解決しようとする課題】
【０００７】  本発明の課題は，強固な汚れあるいはひどい悪臭に対して効果的な作用を与える洗浄剤，消臭剤および抗菌剤を提供することにある。
【課題を解決するための手段】
【０００８】  まず，発明者は，市販の新聞紙が部屋の窓ガラス掃除などの際に，ガラス表面に付着している強固な汚れを取ることに着目した。【０００９】  この際，新聞紙のインクが強固な汚れを取ることから，一般の印刷用インクが洗浄に有効ではないかと考えた。【００１０】  そこで，印刷用インクをパラフィン系炭化水素の一種である，ランプオイルに溶解したところ，液体が無色透明になった。【００１１】  印刷用インクの中の化学成分がランプオイルに溶解した点に着目し，無色透明になった液体には汚れを取る効果があると考えた。【００１２】  この液体（液体Ａとする）をタオルに浸し，部屋の畳に付着した強固な汚れ（油またはカビ状のもの）を拭きとったところ，汚れが跡形もなく取れ，洗浄の効果をもつことを確認した。【００１３】  次に，液体Ａ自体がもつ臭いを抑えるために、エッセンシャルオイルを少量添加した液体（液体Ｂとする）を作製した，さらに洗浄と消臭の効果が現れた。【００１４】  液体Ｂをタオルに浸し，部屋の強固な汚れ（油またはカビ状のもの）を拭きとったところ，さらに洗浄および消臭の効果が向上した。【００１５】  そして，洗浄と消臭の効果を持続させるために，かつ液体の安全性のために，汚れあるいは悪臭の元になる菌を抑える，抗菌作用をもつ脂肪酸エステルを添加したものを作製した。
【発明の効果】
【００１６】  このようにして，これまで落ちにくかった汚れを除去可能，かつ効果が持続する洗浄剤，消臭剤および抗菌剤を作製することができた。
【発明を実施するための形態】
【００１７】  以下に，本発明の液体を用いた洗浄，消臭および抗菌の方法について述べる。
【００１８】  液体をタオルやモップなどの布に直接浸し，汚れた部分を拭き取る方法：これは手の届く範囲の対象に対して有効である。
【００１９】  液体を噴霧用の器具に入れてスプレーする方法：これは間接的な洗浄，消臭，および抗菌の方法である。
【００２０】  液体は原液のままでも，水１Ｌに対して２ないし３ｍＬの割合で希釈しても効果がある。このことから，大量かつ広範囲な汚れの洗浄に対しても有効である。
【実施例】
【００２１】  以下に実施例を挙げて本発明を詳しく説明する。なお，本発明はこれらの実施例に限定されるものではない。【００２２】（実施例１  ガードレール表面の汚れ除去について）
道路に設置されているガードレールは，時間が経つにつれて，汚れやカビの付着により，表面の色が白から茶色または緑色に変わってしまう。【００２３】  これらの汚れは，通常の洗剤を用いても容易には除去されなかったが，本発明の液体を用いて，布で拭き取ったところ，汚れやカビを容易に取ることができた。【００２４】  また，本発明の液体を用いて拭き取りを行うと，１年以上汚れやカビの再付着が生じないことが確認された。【００２５】（実施例２  津波の影響を受けた小学校の壁の汚れ除去について）
平成２３年３月に発生した東北地方太平洋沖地震とそれに伴って発生した津波により沿岸の地域は甚大な被害を受けた。【００２６】  石巻地区のある小学校の校舎の外壁において，除去困難な各種汚れ（油，汚泥など）が長期間残っていたが，本発明の液体を用いて壁を洗浄した結果，壁面積において９５％以上の除去率を達成することができた。これは既存の洗浄剤では困難であった。【００２７】（実施例３  トイレの汚れ除去および消臭の効果について）
トイレの便器に付着した強固な汚れについて，本発明の液体を用いてブラシ洗浄を行ったところ，容易に取ることができた。これは塩素系洗剤と同等またはそれ以上の効果を確認した。【００２８】  また，本発明の液体を，トイレの照明ランプに塗布し，点灯すると，消臭効果が向上することが確認された。【００２９】（実施例４  部屋の環境：窓ガラスの清掃について）
部屋の窓ガラス清掃に，本発明の液体を用いたところ，透明感があり油膜も除去できる。光の透過率は９０％程度であることを確認した。【００３０】  また，本発明の液体を用いて拭いたガラスは，透明度が１ヶ月程度持続した。さらに，部屋内の保温あるいは除湿の影響が示唆された。
（実施例５  衣服の汚れ（カビ：菌）の除去，臭いの除去について）【００３１】  本発明の液体を用いて，長期間放置してカビが発生した雨具に対して，拭き取りを行ったところ，強固な汚れやカビを簡単に除去できた。【００３２】  また，本発明の液体を用いて，長期間保管した衣服を洗濯すると，衣服についていた種々の臭いが効果的に取れることが確認された。【００３３】  なお，ここでは詳細には述べないが，自動車のボディに付着した，油，泥，砂，小さな虫の死骸，凍結防止剤などの強固な汚れ，あるいは自動車の窓ガラスの油膜，砂埃等の汚れ，自動車室内の強固な汚れ，室内のタバコ臭，等に対しても，本発明の液体は効果があることが確認された。【００３４】  また，本発明の液体は，津波被災地における，災害仮設住宅等の高気密性の住宅，特に浴室や浴槽に発生した，健康被害をもたらす黒いカビの除去に対しても，著しい効果があることが確認された。
【産業上の利用可能性】
【００３５】  本発明の液体を用いることにより，これまで洗浄が困難であった，屋外または室内において強固に付着した汚れを，簡便な方法を用いて除去可能である。また，洗浄の効果が維持できることにより，汚れのひとつである菌から発生する悪臭を消すことができる。さらに，除菌あるいは抗菌の効果が持続される。従って，日常の生活はもちろんのこと，地震，台風等に由来する自然災害から生じる，住宅や公共施設等の劣悪な環境を改善し，快適な生活に寄与する効果は大きい。